(57)【要約】【課題】ファイバー発光体ケーブルを用いた高輝度のＵＶ−Ｃ発光により、省エネルギーでかつ温度上昇の少ない多用途の滅菌と、異色光との混合使用によって各種の装飾的効果を得る。【解決手段】  コアとコアのまわりを被覆するクラッド層からなる一定の長さを有するファイバー発光体ケーブルと、ファイバー発光体ケーブルの端部に取り付けられる光源部からなり、光源部内には１００ｎｍ〜２８０ｎｍの範囲の波長を有する０．５Ｗ以上の高出力ＬＥＤ発光素子が上記ファイバー発光体ケーブルの端面に対面して取り付けられているために、光源から照射された光の光ファイバーの長さ方向にわたる到達距離が長く、光ファイバーの長さ方向全体にわたり、その外周面より均一でしかも十分なＵＶ−Ｃ光照射をおこなうことができる。その結果従来装置に劣らない十分な殺菌効果が得られ、他色光と混合照射することにより各種装飾機能をも合わせて得られる。【選択図】図１
2008091623.tif 000002
【特許請求の範囲】
【請求項１】
コアとコアのまわりを被覆するクラッド層からなる一定の長さを有するファイバー発光体ケーブルと、該ファイバー発光体ケーブルの端部に取り付けられる光源部とからなり、光源部内には１００ｎｍ〜２８０ｎｍの範囲の波長を有する０．５Ｗ以上の高出力ＬＥＤ発光素子が上記ファイバー発光体ケーブルの端面に対面して取り付けられていることを特徴とした発光装置。
【請求項２】
ファイバー発光体ケーブルより照射される光源部からの１００ｎｍ〜２８０ｎｍの範囲の波長を有する発光が、白系色以外の色系光との混合でファイバー発光体ケーブルより照射されるものであるところの請求項１に記載の発光装置。
【請求項３】
ファイバー発光体ケーブルより照射される１００ｎｍ〜２８０ｎｍの範囲の波長を有する発光が、装飾機能をも兼ねるものであるところの請求項１又は請求項２に記載の発光装置。
【請求項４】
光源部はアルミニウム等の易放熱性材質からなるケーシングであって、一方からファイバー発光体ケーブルの端部を内部に受け入れるとともに、該ファイバー発光体ケーブルの端部に接近して、これに対面する高出力ＬＥＤ発光素子を取り付けたアルミニウム等の熱伝導性に優れた取り付け基板が、該基板の周辺部を前記ケーシングに直接に密着させて取り付けられているところの請求項１に記載の発光装置。
【請求項５】
光源部内におけるファイバー発光体ケーブル端部と、これに対面する高出力ＬＥＤ発光素子との間には、高出力ＬＥＤ発光素子の光照射を４０°〜５５°の範囲内に集光してファイバー発光体ケーブルに光照射する反射鏡が介在されているところの請求項１に記載の発光装置。
【発明の詳細な説明】
【技術分野】
【０００１】
本発明は、ファイバー発光体ケーブルを用いて各種の紫外線（Uitra Violet rayー以下単に「ＵＶ」という）殺菌手段として用いるとともに、場合によってはＵＶ殺菌のほかに装飾機能を兼ね備えて用いるようにした多目的用途の発光装置に関し、ＵＶ殺菌効率の向上と視覚認識性ならびに装飾機能の向上、さらには省電力化や耐久性の向上をはかることを目的とする。
【背景技術】
【０００２】
近時、可視光より波長の短い紫外線は、種々の産業分野で広く利用されることが多くなった。紫外線は波長の長さにより
４００ｎｍ〜３１５ｎｍを「ＵＶ−Ａ」、
３１５ｎｍ〜２８０ｎｍを「ＵＶ−Ｂ」、
２８０ｎｍ〜１０ｎｍを「ＵＶ−Ｃ」、
以上の３分野に分類されている。
【０００３】
「ＵＶ−Ａ」の利用は例えば紫外線硬化型樹脂の表面硬化用として、「ＵＶ−Ｂ」は浄化用等として、それぞれ知られているほか、自然界には存在しない人工的な短波長の「ＵＶ−Ｃ」を殺菌に用いる技術的手法の開発が盛んになってきた。具体例を挙げれば、紫外線遮蔽機能を有する本体ボックス内に食品や食器類を載せる網状の載置部材、および光触媒材とＣ紫外線照射部を備えた家庭用衛生化処理装置（特開２００６−１１０２３５号公報参照）が知られている。
【０００４】
またＳＡＲＳやＨ５Ｎ１などの新型インフルエンザを含む新興感染症、あるいは結核菌など室内空間の浮遊菌を殺菌する目的のもとに、波長２５３．７ｎｍの波長を主成分とするＵＶ−Ｃ領域の、被爆すれば皮膚や視力に障害をもたらす紫外線を危険なく室内空間に照射することができるように、在室の人畜の体高よりも十分に高い室内高所から水平方向のみに照射可能とする反射鏡を取り付けた「紫外線水平照射型空気殺菌装置」も知られている（特開２００６−２３１００７号公報参照）。
【特許文献１】特開平２００６−１１０２３５号公報
【特許文献２】特開平２００６−２３１００７号公報
【発明の開示】
【発明が解決しようとする課題】
【０００５】
しかしながら、上記した特許文献１や特許文献２に記載されたＣ紫外線照射手段は、電球型のランプや放電容器内にキセノン含有ガスを充填したガス放電ランプ、あるいは高圧または中圧の水銀灯ランプが主体であるために消費電力量が多大であるばかりでなくランプ寿命が１００時間からせいぜい５０００時間程度と短くランニングコストが高い。また水蒸気のかかる場所への設置が困難であるなど用途が限定されており、汎用性の面において課題がある。
【０００６】
また電球に代わる光源として一般的な０．１Ｗ程度の高輝度ＬＥＤも開発されたが、樹脂製のファイバーケーブルを発光させるためには、この程度の出力のＬＥＤでは殆ど実用性に欠け、せいぜい７ｍｍ径以下のファイバーケーブルであって長さが１ｍ以下のものを発光させるのが限界であって、それ以上の径の樹脂製ファイバーケーブルを発光させ、しかも紫外線による十分な殺菌機能を発揮するには全く不向きである。
【課題を解決するための手段】
【０００７】
そこで本発明にあっては、耐久性や加工性に優れた光ファイバーと、電力消費量が少なく、しかも発光効率と視認性のよいＵＶ−Ｃ高出力ＬＥＤ発光素子とを組み合わせることにより、従来装置に劣らない十分な殺菌効果が得られ、しかも大幅な省電力効果と視覚的認識性の向上が見込まれる発光装置を開発したものであって、具体的にはコアとコアのまわりを被覆するクラッド層からなる一定の長さを有するファイバー発光体ケーブルと、該ファイバー発光体ケーブルの端部に取り付けられる光源部とからなり、光源部内には１００ｎｍ〜２８０ｎｍの範囲の波長を有する０．５Ｗ以上の高出力ＬＥＤ発光素子が上記ファイバー発光体ケーブルの端面に対面して取り付けられていることを特徴とした発光装置関する。
【発明の効果】
【０００８】
本発明は上記したように、光源として１００ｎｍ〜２８０ｎｍの範囲の波長を有する０．５Ｗ以上の高出力ＬＥＤ発光素子を用い、これをファイバー発光体ケーブルの端面に対面して取り付けてあるために、光源から照射された光の光ファイバーの長さ方向にわたる到達距離が長く、しかも光ファイバーの長さ方向全体にわたり、その外周面より均一でしかも十分なＵＶ−Ｃ光照射をおこなうことができる。その結果従来装置に劣らない十分な殺菌効果が得られ、しかも大幅な耐久性の向上ならびに省電力効果と視覚的認識性の向上が見込まれる。
【０００９】
またファイバー発光体ケーブルより照射される光源部からの１００ｎｍ〜２８０ｎｍの範囲の波長を有する発光が、白系色以外の色系光との混合でファイバー発光体ケーブルより照射されるものである場合においては、単純な殺菌作用のみならず多彩な色光とのコントラストを利用する等によって発光装置としての適用範囲を著しく広範囲に広めることができる。
【発明を実施するための最良の形態】
【００１０】
以下において本発明の具体的な内容を説明すると、図１には本発明に係る発光装置の一実施例があらわされている。図において１はファイバー発光体ケーブル、４はファイバー発光体ケーブル１の端部に取り付けられる光源部を示す。ファイバー発光体ケーブル１は殺菌など取り付ける器具や場所あるいは装飾・誘導などの用途目的、あるいは光源部４に内臓する光源の輝度・光量にもよるが通常は太さが３〜１６φ程度で、長さについては用途にもよるが、概ね６ｍ程度までの一定の長さを有し、アクリルなどのプラスチックあるいはガラスなど光透過性の高い材質からなるコア２と、該コア２のまわりを被覆する透明なクラッド層３とからなり、光源により端面から一定量の光量を照射することにより、ファイバー発光体ケーブル１の全長にわたり、その周面から放射方向に向けてＵＶーＣ光照射することが可能なものが使用される。
【００１１】
光ファイバーは主に通信やインターネットの基幹ネットワーク接続手段として用いることが多いために、材質的にコア・クラッド共に石英ガラス製のものが多く、しかもコアはクラッドに比して屈折率が高いものを用いることにより、光を全反射現象によりコア内に閉じ込めたままの状態で伝搬させるようになっているが、本発明において用いられるファイバー発光体ケーブル１はファイバーケーブルの側面から漏れる光をシールドしない構造のものが用いられる。
【００１２】
すなわち、本発明において用いられるファイバー発光体ケーブル１はクラッド層３とコア２の屈折率を同等か、あるいはクラッド層３よりもコア２の屈折率をいくぶん低くすることによりコア２の一端から照射されたＵＶーＣ光がコア２内に全て閉じ込められることがなく、常にその一部がクラッド層３を透過してファイバー発光体ケーブル１の側面から散光されるようなものが用いられる。そのようなファイバー発光体ケーブルとしては、例えば３Ｍ社のライトファイバーがある。
【００１３】
また光源部４は、ファイバー発光体ケーブル１の端部を内部に受け入れる固定ケーシング５と、該ファイバー発光体ケーブル１の端部に接近して、これに対面する高出力ＬＥＤ発光素子１３を取り付けたアルミニウム等の熱伝導性に優れた取り付け基板１２を取り付ける補助ケーシング８とからなり、補助ケーシング８の前方開口縁内周には雌ネジが刻設されており、これをシール材９を介して固定ケーシング５の後部外周縁に刻設された雄ネジ部に螺合させて一体的に構成している。
【００１４】
なお上記した取り付け基板１２は中央部にＵＶーＣ高出力ＬＥＤ発光素子１３がマウントされており、ファイバー発光体ケーブル１の端面に対面して取り付けられるとともに、該取り付け基板１２の周辺部を前記補助ケーシング８の内壁面に対して直接に密着固定させて取り付けられている。なお固定ケーシング５に対するファイバー発光体ケーブル１の固定は、ファイバー発光体ケーブル１の先端部を固定ケーシング５内にシール材９・９を介して装入するとともに、クランプ６の一対のアーム６ａ・６ｂを対面させた状態で該アーム６ａ・６ｂをボルトＢにより締め付け固定するとともに、クランプ６自体をボルト７・７により固定ケーシング５に固定する。
【００１５】
さらにここで用いられる高出力ＬＥＤ発光素子１３としては、通常１５０ｍｍＡ以上の電流を印加可能であるところの１００ｎｍ〜２８０ｎｍの範囲の波長を有する０．５Ｗ以上の高出力ＬＥＤ発光素子を用いるものとする。なおこの場合に短波長紫外線のなかでも１００ｎｍ未満のものでは殺菌効果が小さく実用的ではない。上記の範囲内において、特に波長が１９０ｎｍ〜２１０ｎｍのものはＤＵＶ（Deep Ultraviolet：遠紫外線）と称し、特に殺菌効果が高いばかりでなくチップ製造などの分野においても適用が可能である。上記の範囲の波長は殺菌する菌の対象種によって若干の相違はあるものの、この範囲内の波長のＬＥＤ発光を用いることにより各種のウイルス殺菌に大きな効果が認められる。
【００１６】
最近高出力型のＬＥＤ発光素子として５Ｗ程度の高出力型のものが開発されており、これは一般的な高輝度ＬＥＤ発光素子に比べて発光輝度が１０倍から７０倍もの高い発光輝度を有し、より一層十分な殺菌効果が期待できるばかりでなく、定格の寿命も２５，０００時間から１００、０００時間と、電球タイプの光源に比べてきわめて有利であるところから、これら高出力のＵＶーＣ・ＬＥＤ発光素子を用いることが好ましい。
【００１７】
また固定ケーシング５と補助ケーシング８とからなる光源部４については放熱性を良好にするためにアルミニウムあるいはマグネシウム、チタン、亜鉛合金、放熱樹脂など易放熱性材質のものが用いられる。また図において８ａは補助ケーシング８の外側に形成された方熱フィンをあらわしている。さらにファイバー発光体ケーブル１の端部とこれに対面するＵＶ−Ｃ高出力ＬＥＤ発光素子１３との間にはアルミ製のスペーサー１１を介在させて反射鏡１０が取り付けられている。
【００１８】
この反射鏡１０はＵＶーＣ高出力ＬＥＤ発光素子１３から照射される光の指向特性（照射角度）が一般的には図２の（Ａ）に表したように１６０°であるものから同図（Ｂ）に表したように７０°までの範囲であるために、これらをファイバー発光体ケーブル１の端部に照射しても入射する光量に大幅なロスを生じ、そのために光源として高出力ＬＥＤ発光素子１３を用いているにも拘らずファイバー発光体ケーブル１の側面からの輝度量が十分ではない。この場合に透明レンズを介在させることも試みたが、光がレンズを通過する際に輝度が減衰しやすく、その結果ファイバー発光体ケーブル１からの十分な輝度が得られなくなることが解った。
【００１９】
そこで本発明者は種々の実験の結果、上記した反射鏡１０を介在させることによってＵＶーＣ高出力ＬＥＤ発光素子１３から照射される光の指向角度を狭めることによってファイバー発光体ケーブル１の側面からの十分な輝度量を得ることに成功した。具体的には一方がＵＶーＣ高出力ＬＥＤ発光素子１３の発光部に対応する中央部に、発光部の直径に略対応する大きさの開口部を有するとともに、他方がファイバー発光体ケーブル１の端部の直径に略対応させるべく次第に拡開させた傘型に構成されている。
【００２０】
この場合照射角度を３９°以下とした場合にはファイバー発光体ケーブル１の側面に対して十分に反射せずに透過してしまう光が多くなり、ファイバー発光体ケーブル１の側面からの十分な輝度照射が得られなかった。また５６°以上にしてもファイバー発光体ケーブル１と光の反射角が鋭角に近づくためにファイバー発光体ケーブル１の内部でのＵＶーＣ光の減衰が大きくなり、結果として入光部付近のみが高輝度発光するだけでファイバー発光体ケーブル１の長さ方向全体を均一に発光することが困難となることがわかった。
【００２１】
このことから、スペーサー１１の長さ、すなわち高出力ＬＥＤ発光素子１３とファイバー発光体ケーブル１の端部との間隔如何にもよるが、概ね図２の（Ｃ）に表したように４０°〜５５°の範囲内に集光させるように設計したものがファイバー発光体ケーブル１のＵＶーＣ発光輝度を最も高めることができること、またこの場合にファイバー発光体ケーブル１の長さ方向全体を均一かつ十分な輝度で発光させることが可能な長さは概ね６ｍ程度までの長さにすることが可能であることが解った。
【００２２】
上記した構成において、高出力ＬＥＤ発光素子１３の電源コード１４ａ・１４ｂを防水コネクター１６を介して接続したケーブル１５により、途中に電源スイッチや光源ＬＥＤ点灯インジケーター、等を内蔵した制御部（図示省略）を介して電源に接続し、用途に応じて高出力ＬＥＤ発光素子１３のＵＶーＣ発光によりファイバー発光体ケーブル１の全体からＵＶーＣ光を照射させる。この場合に、光源部４の全体を水密構造とすればファイバー発光体ケーブル１とともに水中に設置することも可能であり、また少なくともファイバー発光体ケーブル１の部分のみについては水中設置しても漏電その他の電気的トラブル発生の危険は全くない。
【００２３】
高出力ＬＥＤ発光素子１３のＵＶーＣ発光により発光素子１３周辺の温度が上昇するが、アルミ製の取り付け基板１２の周辺部が易放熱性の補助ケーシング８の内壁面に直接に密着固定させて取り付けられているために放熱性に優れ、その結果補助ケーシング８の内部を密閉構造とすることができ、またこの放熱構造により、高出力ＬＥＤ発光素子１３への放熱フィンや放熱ファンなどの取り付けが不要となり、部品点数の低減と低コスト化をはかることができる。
【００２４】
〔実施例１〕ー食器洗浄器への装着
食器洗浄器の内部天井部に沿わせて本発明に係る一定の長さを有するファイバー発光体ケーブルを取り付けるとともに、その一端面に１００ｎｍ〜２８０ｎｍの範囲の波長を有する０．５Ｗ以上の高出力ＬＥＤ発光素子を対面させた光源部を食器洗浄器の外枠部に取り付けた。商用電源に接続して使用したところ、洗浄器内の滅菌が十分におこなわれ、雑菌の増殖が認められず、とくに洗浄器の内部コーナー部分に付着しやすい汚染物質の殺菌増殖も効果的に抑制することができた。
【００２５】
〔実施例２〕ービルの給水タンクへの装着
複数階あるいは多層階のビルに対する給水圧の安定化をはかるために、多くのビルでは屋上などに貯水槽を設置して水道水をモータ駆動ポンプにより貯水槽内に汲み上げて常時一定量の水道水を貯留することがおこなわれている。しかし貯水槽内の貯留水道水は、止水であるために雑菌が繁殖しやすい環境となっており、衛生上から晒し粉を撒いたりして除菌する場合もある。
【００２６】
そこで、貯水槽内に本発明に係るファイバー発光体ケーブルを、水中に投げ込み式に浸漬させた状態で取り付けるとともに、その一端面に１００ｎｍ〜２８０ｎｍの範囲の波長を有する０．５Ｗ以上の高出力ＬＥＤ発光素子を対面させた光源部を貯水槽の外枠又は槽外に取り付けて商用電源に接続して使用したところ、貯水槽内の滅菌が十分におこなわれ、雑菌の繁殖が抑制されて長期間にわたり雑菌の増殖が認められなかった。
【００２７】
〔実施例３〕ー玄関灯としての使用
本発明に係るファイバー発光体ケーブルの長さを５０ｃｍ程度とし、これを水平に保持する金具に取り付けて家屋玄関のドア部上方に装着し、さらにその一端面に１００ｎｍ〜２８０ｎｍの範囲の波長を有する０．５Ｗ以上の高出力ＬＥＤ発光素子を対面させた光源部を上記したファイバー発光体ケーブルの水平端部に取り付けた状態で、これを商用電源に接続して使用することにより、通常の玄関灯としての照明機能のほかに、防虫効果があることがわかった。
【００２８】
〔実施例４〕ー農園での使用
近時、葡萄や梨、あるいはサクランボ、柿、みかん、リンゴ等の栽培農園での農産物の盗難被害が続発している。そこで本発明に係るところの、一端の端面に１００ｎｍ〜２８０ｎｍの範囲の波長を有する０．５Ｗ以上の高出力ＬＥＤ発光素子を対面した光源部を有するできるだけ長いファイバー発光体ケーブルを農園敷地、あるいは温室のまわりに張り巡らせることにより、塀又は温室を構成する骨材を補強するとともに、防虫効果と照明や威圧による盗難防止効果を発揮させ、また栽培する農産物如何にもよるが、１００ｎｍ〜２８０ｎｍの範囲の波長を有する０．５Ｗ以上の高出力ＬＥＤ発光素子の発光に加えて赤系あるいはその他の色調の色系光を混合することによって種々の色調の発光を楽しむことができる。
【００２９】
〔実施例５〕ーコースライン表示灯としての使用
プールなどにおけるコースラインは、通常は水面付近にコースロープを張ることにより泳者の泳ぎ方向を指示するが、一端の端面に１００ｎｍ〜２８０ｎｍの範囲の波長を有する０．５Ｗ以上の高出力ＬＥＤ発光素子を対面した光源部を有するできるだけ長いファイバー発光体ケーブルを水面付近に張ることにより、ファイバー発光体ケーブルの外周面から照射されるＵＶ−Ｃ発光が水中の雑菌を滅菌するとともに、従来のコースロープに比べて泳者に対するコースの認識効果が格段に上昇する。
【００３０】
なお、この場合にファイバー発光体ケーブルの展張が、水面付近ではなく水底に沿って施すようにすると、泳者に対する視認性がより一層良好となる。さらに水底に沿って色調が異なる異色の発光をする複数本のファイバー発光体ケーブルを並行して設置し、いずれかの発色をするファイバー発光体ケーブルのみを発光させるようにするとコース幅の変更を簡単におこなうことができる。
【００３１】
〔実施例６〕ー食品ケースへの適用
デパートやスーパーマーケットなどにおける生鮮品販売ショーケースであって透明のガラスやアクリル板を透過して外部から視認可能なショーケース内の開口縁部付近に、一端の端面に１００ｎｍ〜２８０ｎｍの範囲の波長を有する０．５Ｗ以上の高出力ＬＥＤ発光素子を対面させた光源部を有するファイバー発光体ケーブルを水平に取り付ける。
【００３２】
さらに電源部をショーケースの外部に取り付けることによって、ファイバー発光体ケーブルが取り付けられたショーケース内部のファイバー発光体からの発光による温度上昇を皆無として食品の傷みを無くし、またショーケース内の殺菌をおこなうことができるばかりでなく、この場合に赤系の色光を混色させることにより食品類の見映えを良くし、購買意欲を増進させることができる。
【００３３】
また食品ケースが冷凍食品ケースである場合において、上記同様に透明のガラスやアクリル板を透過して外部から視認可能な冷凍ショーケース内の開口縁部付近に、一端の端面に１００ｎｍ〜２８０ｎｍの範囲の波長を有する０．５Ｗ以上の高出力ＬＥＤ発光素子を対面させた光源部を有するファイバー発光体ケーブルを水平に取り付けるとともに、電源部を冷凍ショーケースの外部に取り付けることによって、冷凍ショーケース内部のファイバー発光体からの発光による温度上昇を皆無として省エネルギー化をはかり、しかもＵＶ−Ｃ光によるケース内の殺菌をはかることができるほか、上記ＵＶ−Ｃ光に併せて青系の色光を混色発光させることにより冷凍ケース内の食品類の新鮮さをより一層強調することができ、購買者の購買意欲を促進することができる。
【００３４】
〔実施例７〕ー家庭用トイレ灯としての利用
家庭内のトイレ入り口付近、とくにドアの上部であってトイレ室内側に本発明に係るファイバー発光体ケーブルを取り付けるとともに、その一端の端面に１００ｎｍ〜２８０ｎｍの範囲の波長を有する０．５Ｗ以上の高出力ＬＥＤ発光素子を対面させた光源部を脇に取り付けて、商用電源に接続して使用する。
【００３５】
この場合に、トイレ室内の殺菌のための１００ｎｍ〜２８０ｎｍの範囲の波長を有する０．５Ｗ以上の高出力ＬＥＤ発光素子の発光に加えて、異色のＬＥＤ発光素子をも併用するようにする。具体的には夏季においては青系色のＬＥＤ発光素子を併用することにより清涼感を出すとともに、冬季においては赤系色のＬＥＤ発光素子を併用することにより暖かさを出すようにするなど、季節に合わせて異なった色発光を併用して生活感をより豊かなものにすることができる。
【００３６】
〔実施例８〕ー病院内移送台車への適用
たとえばストレッチャーや病院食の配膳台車、その他キャスターつきの寝台等病院内を走行する台車類の走行先端部や側面に本発明に係るファイバー発光体ケーブルを取り付けるとともに、その一端の端面に１００ｎｍ〜２８０ｎｍの範囲の波長を有する０．５Ｗ以上の高出力ＬＥＤ発光素子を対面させた光源部を台車の底面等にバッテリーとともに取り付けて使用する。これにより走行しながら病院内における走行通路の殺菌を実施し、また同時に台車の存在を十分に認識させて走行の安全を確保することができる。
【図面の簡単な説明】
【００３７】
【図１】本発明の一実施例である発光装置の要部断面図ならびにＸーＸ線矢視方向端面図。
【図２】高出力ＬＥＤ発光素子の光照射範囲をあらわした説明図。
【符号の説明】
【００３８】
１          ファイバー発光体ケーブル
２          コア
３          クラッド層
４          光源部
５          固定ケーシング
６          クランプ
６ａ        アーム
６ｂ        アーム
７          ボルト
８          補助ケーシング
９          シール材
１０        反射鏡
１１        スペーサー
１２        取り付け基板
１３        高出力ＬＥＤ発光素子
１４ａ      電源コード
１４ｂ      電源コード
１５        ケーブル
１６        防水コネクター
【図１】
2008091623.tif 000003
【図２】
2008091623.tif 000004